(57)【特許請求の範囲】
【請求項１】
アンテナからの入力信号を分岐するための分岐回路と、該分岐回路にて分岐された信号を外部機器に供給するための同軸接栓座からなる分岐端子と、を備えた本体と、
該本体とは別体に構成された基板に、前記分岐端子の頭部が貫通する大きさの透孔と、該透孔に前記分岐端子が挿通された際に該分岐端子の周囲を保護するための前記透孔と同心形状の凹部と、が形成された端子台と、
からなり、壁内に設けられたスイッチボックス内に外側を向けて収納される直列ユニットであって、
前記スイッチボックスは、中央に窓孔が形成された下枠と、該下枠の窓孔に対応する位置に窓孔が形成され、前記下枠に重ねて装着されるプレート枠と、が被せ着けられて内部に電子部品を収納するものであり、
前記本体には、当該本体を前記スイッチボックスに取付けるための透孔と、前記下枠を装着するためのねじ孔と、が形成され、
前記端子台の基板は、前記プレート枠の窓孔に対応した大きさ及び形状に形成されると共に、前記端子台において、前記基板に凹部が形成された面と反対の面側には、前記下枠の窓孔の周縁部に当該端子台を装着するための脚片が前記基板から垂下げ形成されていることを特徴とする直列ユニット。
【請求項２】
前記端子台には、前記基板の平行な一対の端縁から夫々外方向に突出し、当該端子台が前記下枠の窓孔に装着された際に、該下枠の窓孔の周縁部の表面に当接して係止される一対の係止片が設けられていることを特徴とする請求項１に記載の直列ユニット。
【発明の詳細な説明】
【０００１】
【発明の属する技術分野】
本発明はテレビ共同受信用の直列ユニットに関する。
【０００２】
【従来の技術】
テレビ共同受信などに用いられる直列ユニットは、一般にスイッチボックスに取付けられ、その上に、中央に窓孔を設けた下枠を被せて固定すると共に、更にその上に、重厚な品格を持たせるために、プレート枠を被せ着けている。プレート枠の窓孔は、スイッチなどの配線器具と共用されるため、直列ユニットの端子台（端子を含め、アウトレットともいう）よりも大きい。そこで直列ユニットの端子台と、プレート枠との空間を埋めるため、化粧カバーを用いるのが一般的であった。
【０００３】
【発明が解決しようとする課題】
しかし上記従来の直列ユニットは、端子台とは別に化粧カバーを用意しなければならず、部品点数の面でコスト高になるという問題があった。
また、直列ユニットをスイッチボックスに取付けた場合、取付用ねじの締め加減によって、この取付用ねじの取付孔を備えている取付片が変形してしまい、その取付片に別に設けられているねじ孔に対して下枠やプレート枠、化粧カバーを順次組付けていくと、端子台と化粧カバーとの高さが合わず、美観上好ましくない実装状態になってしまうという問題もあった。
【０００４】
本発明は上記の問題点を解決するためになされたもので、本発明の第１の目的は、下枠とプレート枠を利用して重厚な品格を持たせることを、部品点数少なく実現できる直列ユニットを提供することである。
そして本発明の第２の目的は、部品点数の少ない実用を可能にした直列ユニットであっても、その直列ユニットの取付状態の良否に関わらず、下枠とプレート枠を用いての実装が完了した際には、美観的に好ましい状態にすることができる、優れた直列ユニットを提供することである。
【０００５】
【課題を解決する為の手段及び発明の効果】
かかる目的を達成する為になされた請求項１に記載の発明は、アンテナからの入力信号を分岐するための分岐回路と、該分岐回路にて分岐された信号を外部機器に供給するための同軸接栓座からなる分岐端子と、を備えた本体と、該本体とは別体に構成された基板に、前記分岐端子の頭部が貫通する大きさの透孔と、該透孔に前記分岐端子が挿通された際に該分岐端子の周囲を保護するための前記透孔と同心形状の凹部と、が形成された端子台と、からなり、壁内に設けられたスイッチボックス内に外側を向けて収納される直列ユニットであって、前記スイッチボックスは、中央に窓孔が形成された下枠と、該下枠の窓孔に対応する位置に窓孔が形成され、前記下枠に重ねて装着されるプレート枠と、が被せ着けられて内部に電子部品を収納するものであり、前記本体には、当該本体を前記スイッチボックスに取付けるための透孔と、前記下枠を装着するためのねじ孔と、が形成され、前記端子台の基板は、前記プレート枠の窓孔に対応した大きさ及び形状に形成されると共に、前記端子台において、前記基板に凹部が形成された面と反対の面側には、前記下枠の窓孔の周縁部に当該端子台を装着するための脚片が前記基板から垂下げ形成されていることを特徴とする。
【０００６】
つまり、請求項１に記載の発明は、中央に窓孔が形成された下枠と、この下枠の窓孔に対応する位置に窓孔が形成され、前記下枠に重ねて装着されるプレート枠と、が被せ着けられて内部に電子部品を収納するためのスイッチボックス内に外側を向けて収納される直列ユニットであり、本体には、当該本体をスイッチボックスに取付けるための透孔と、下枠を装着するためのねじ孔と、が形成されており、一方、端子台の基板は、プレート枠の窓孔に対応した大きさ及び形状に形成されている。
【０００７】
そして、上記の如き、請求項１に記載の発明の直列ユニットを取付けて使用するに当っては、まず、本体に設けられている入力端子と出力端子に対し、夫々アンテナ側の同軸ケーブルと後段機器側の同軸ケーブルとを接続する。そしてスイッチボックス内に分岐端子を正面にした状態で納め、本体に設けられた取付用の透孔を利用して、スイッチボックスにねじ止めをして固定する。その上に市販の下枠を被せ着け、サラビスなどを、下枠の透孔を通して、本体に設けられたねじ孔と螺合させることにより、下枠を本体に固定する。  次に透孔から分岐端子としての同軸接栓座の頭部が露出するようにして、端子台を下枠の窓孔部分に装着する。更にその上からプレート枠を下枠に嵌め込むと、端子台の基板部分が丁度プレート枠の窓孔に納まり、実装が完了する。
【０００８】
端子台の透孔から露出している同軸接栓座に対して、テレビ受像機やブースターなどを接続するには、それら機器に接続されたケーブルの端部に、同軸プラグを接続し、その同軸プラグを接栓座に装着することにより行う。
従って請求項１に記載の直列ユニットによれば、化粧カバーを用いることなく、下枠とプレート枠を利用した実装が可能となる。つまり、部品点数を少なくした実装であっても、下枠とプレート枠を利用した重厚な品格を従来通り保つことができるという効果がある。
【０００９】
また、請求項１に記載の直列ユニットでは、上記端子台において、基板に凹部が形成された面と反対の面側には、基板から垂下げ形成されて、下枠の窓孔の周縁部に当該端子台を装着する為の脚片が設けられている。この様な端子台を備えた直列ユニットでは、上記の実装における下枠窓孔部分への端子台の装着の際、窓孔の周縁部に脚片を利用して装着する為、下枠と端子台との位置関係を、常に一定にすることができる。
【００１０】
このことから、請求項１に記載の直列ユニットによれば、直列ユニットをスイッチボックスにねじ止めした場合、そのねじの締め加減によって取付片がそれ程変形しなくても、また大きく変形したとしても、下枠を被せ着け、端子台を装着し、プレート枠を装着した完成の状態においては、プレート枠と端子台の夫々の表面を常に同じ高さにすることができる。つまり下枠とプレート枠を用いての実装が完了した際には、常に美観的に好ましい状態にできるという効果がある。
次に、請求項２に記載の直列ユニットは、端子台には、基板の平行な一対の端縁から夫々外方向に突出し、当該端子台が下枠の窓孔に装着された際に、この下枠の窓孔の周縁部の表面に当接して係止される一対の係止片が設けられていることを特徴とする。
よって、請求項２に記載の直列ユニットによれば、端子台に設けられた脚片及び係止片により、端子台と下枠との一体化が図られる。
【００１１】
【発明の実施の形態】
以下、本願の実施例を示す図面について説明する。
図１は直列ユニットの実装状態を分解して示す斜視図、図２は構成部材を分離して示した直列ユニットの正面図、図３は同様に示した直列ユニットの側面図で、直列ユニット１は本体２と端子台３とにより成る。
【００１２】
本体２は、主フレーム４、側フレーム５、蓋板６により成るケース内に、プリント基板上に形成された分岐回路を収納して構成されている。主フレーム４と側フレーム５とは、一枚の導電性の良好な金属板、例えば鉄板をニッケルメッキしたもの、を打抜き形成し、側フレーム５を主フレーム４の両側（即ち図１での前面側と背面側）に夫々垂下させた形状にプレス加工して、一体的に仕上げられている。蓋板６は、アルミ板やステンレス板等の薄い金属板でプレス加工等により形成されており、二つの側フレーム５に脱着自在な状態で装着されている。
【００１３】
７は同軸接栓座、例えばＦ型接栓座により成る分岐端子を示す。この分岐端子７は、主フレーム４に設けた透孔に、ナット等で止付けることにより本体２への固定がなされている。これら分岐端子７の中心軸は、主フレーム４面の法線方向を向くようにして、固着されている。８はケーブル接続部で中心導体接続具９と、外部導体接続具１０とで構成される。中心導体接続具９は、主フレーム４及び側フレーム５を跨ぐように取付け固定された、ＡＢＳ樹脂等の合成樹脂製の絶縁ベース９ａと、導電性のねじ棒などを主体として成る端子９ｂとにより成る。そして外部導体接続具１０は、Ω字形の導電性金属板などで成る押え具１０ａと、その押え具１０ａを側フレーム５に対して遠近自在に固着するための、取付ねじ１０ｂとで構成されている。尚図１において前面側に図示されているケーブル接続部８は、入力端子を示しており、図示しない背面側にも同様のケーブル接続部があって、それは出力端子となっている。
【００１４】
次に１１は、主フレーム４における両端部において、持上げ形成された取付部で、透孔１１ａ，１１ｂ，ねじ孔１１ｃを備えている。透孔１１ａは、直列ユニット１を板壁面１２に締付け固定する木ネジを挿通する為のものである。本例の図１に示す使用状態では利用されない。透孔１１ｂは、スイッチボックス１２ａに設けてある取付用のねじ孔と、ねじ棒１２ｂとを用いて、直列ユニット１の本体２を固定する際に用いられるものである。ねじ孔１１ｃは、取付部１１面を更に打上げて形成した突出面に設けられており、合成樹脂製の下枠１３を、サラビス１４等を用いて固着するために用いられる。
【００１５】
次に端子台３の詳しい構成について説明する。端子台３はＡＢＳ樹脂などの合成樹脂で、本体２とは別体に形成されている。１６は基板で、その大きさ及び形状は、プレート枠１５の窓孔１５ａに対応した大きさ及び形状となっている。１７は基板１６に設けられた凹部で、基板１６より突設された有底筒の筒内壁１７ａと、その有底筒の底壁１７ｂとにより形成される凹み空間を示している。１８は凹部１７の底壁１７ｂに、筒内壁１７ａと同心形状で形成された円形の透孔で、本体２の分岐端子７の同軸接栓座頭部が挿通可能な大きさの直径を有している。
【００１６】
１９ａは基板１６の一対の長辺から、また１９ｂは基板１６の一対の短辺から、凹部１７を形成する有底筒の突出方向と同方向に夫々垂下げ形成した側板を示す。２０は脚片を示し、一対の側板１９ａの夫々の両端近くに設けられている。これら合計４個の各脚片２０は、自体の両端部に設けてある切欠２１によって、側板１９ａの垂下方向に対する法線方向に、弾力性を備えさせてある。そして各脚片２０の先端部には、下枠１３の窓孔１３ａの周縁部裏面に引掛固定するための、抜止爪２０ａが備えさせてある。
【００１７】
２２は係止片で、両方の側板１９ｂに設けてある。この一対の係止片２２が下枠１３の窓孔１３ａの周縁部表面に係止し、抜止爪２０ａが下枠１３の窓孔１３ａの周縁部裏面に係止することによって、端子台３と下枠１３との一体化が図られる。尚、本側の場合、下枠１３の窓孔１３ａの縦方向寸法の方が、プレート枠１５の窓孔１５ａの縦方向寸法よりも長い為、各側板１９ｂの両端部に図示の如き突片を設けて、端子台３の下枠１３への仮固定を、確実なものにしている。２２ａは系止片２２に設けられた切欠で、サラビス１４が透孔１３ｂを通して回し締めされる際に、下枠１３と一体となった端子台３の係止片２２が邪魔にならないように設けてある。
【００１８】
尚下枠１３において、１３ｃは、固定した下枠１３に対して更にプレート枠１５を装着する為に使用される透孔である。プレート枠１５には、これら透孔１３ｃと対応した位置に、これら透孔１３ｃと嵌合する突起が備えさせてある。
【００１９】
次に上記構成の直列ユニット１を、上記の如き下枠１３やプレート枠１５を用いてスイッチボックス１２ａに実装する場合の手順は次の通りである。
（１）スイッチボックス１２ａまで配線されている入力側同軸ケーブルと出力側同軸ケーブルを夫々段剥き状にして、直列ユニット１に設けられているケーブル接続部８のうちの対応する方に、夫々接続する。
（２）直列ユニット１の本体２をスイッチボックス１２ａに納め、透孔１１ｂを利用して、ねじ棒でスイッチボックス１２ａに止付ける。
（３）下枠１３をスイッチボックス１２ａの開口部に被せ、透孔１３ｂを介して、サラビス１４をねじ孔１１ｃに止付けることにより、下枠１３を直列ユニット１の本体２に固定する。このとき板壁面１２から突出している、本体２の取付部１１は、下枠１３の裏面の空間にすっきりと納められる。
（４）端子台３を下枠１３の窓孔１３ａに嵌め込む。このとき端子台３の係止片２２が窓孔１３ａの表側周縁部に、また脚片２０の抜止爪２０ａが窓孔１３ａの裏側周縁部に、夫々係止することにより、下枠１３と端子台３は一体化される。また直列ユニット１の分岐端子７としての同軸接栓座頭部は、透孔１８を貫通して外部へ露出する。
（５）下枠１３にプレート枠１５を装着する。
【００２０】
上記のようにして直列ユニット１の実装が完了した場合、下枠１３とプレート枠１５は本来セットでその大きさや構造が設計され、販売されているのだが、その下枠１３に対して、端子台３を一体的に装着できるようにしたので、当然端子台３の基板１６表面の高さは、プレート枠１５の窓孔１５ａ周縁部の高さと整合がとれており、美観上好ましい仕上がり状態となっている。
【００２１】
また実装の完了した直列ユニット１の分岐端子７に、テレビ受像機を接続する場合には、先端に同軸プラグを装着したケーブルを用いる。同軸プラグを分岐端子７の頭部に装着した状態では、同軸プラグの接続口の外周が、凹部１７を形成する有底筒の内壁１７ａに包まれて保護される。このため同軸プラグに不用意に外力が加わっても、同軸プラグや分岐端子７が損傷してしまうようなことが防止されている。
【図面の簡単な説明】
【図１】  直列ユニットの実装状態を分解して示す斜視図。
【図２】  本体と端子台とを分離した直列ユニットの正面図。
【図３】  本体と端子台とを分離した直列ユニットの側面図。
【符号の説明】
１・・・直列ユニット    ２・・・本体    ３・・・端子台
４・・・主フレーム    ５・・・側フレーム    ６・・・蓋板
７・・・分岐端子    ８・・・ケーブル接続部    ９・・・中心導体接続具
９ａ・・・絶縁ベース    ９ｂ・・・端子    １０・・・外部導体接続具
１０ａ・・・押え具    １０ｂ・・・取付ねじ    １１・・・取付部
１１ａ・・・透孔    １１ｂ・・・透孔    １１ｃ・・・ねじ孔
１２・・・板壁面    １２ａ・・・スイッチボックス    １２ｂ・・・ねじ棒
１３・・・下枠    １３ａ・・・窓孔    １３ｂ・・・透孔
１３ｃ・・・透孔    １４・・・サラビス    １５・・・プレート枠
１５ａ・・・窓孔    １６・・・基板    １７・・・凹部
１７ａ・・・筒内壁    １７ｂ・・・底壁    １８・・・透孔
１９ａ，１９ｂ・・・側板    ２０・・・脚片    ２０ａ・・・抜止爪
２１・・・切欠    ２２・・・係止片    ２２ａ・・・切欠
【図１】
0003773334.tif 000002
【図２】
0003773334.tif 000003
【図３】
0003773334.tif 000004